(57)【特許請求の範囲】
【請求項１】
重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、
前記第１の生地の一部を山型に突出させ、突出して折り返された基端部同士を縫製してループ状の前記重合部を形成するとともに、
該重合部基端の一方側に前記接合用縫製部を設定し、前記重合部を前記一方側に倒して前記接合用縫製部上に配置した状態で、この重合部の先端部を当該第１の生地に縫製したことを特徴とするカーテン。
【請求項２】
重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、
前記第１の生地に第３の生地の一側部を縫製して当該第３の生地によって前記重合部を構成し、前記第１の生地と前記重合部の一側部とが接合された一側部接合用縫製部を設定するとともに、前記重合部の一側部に近接した位置に前記接合用縫製部を設定し、
前記重合部の他側部を折返して当該重合部を前記接合用縫製部上に配置した状態で、この重合部の他側部を前記第１の生地に縫製したことを特徴とするカーテン。
【請求項３】
重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、
前記第１の生地に第３の生地を積層し、該第３の生地を、前記第１の生地と前記第２の生地と共に縫製して前記接合用縫製部を当該第３の生地に沿って設定する一方、
前記第３の生地の一側部を他側部側に折り返し、この折返し部分を前記接合用縫製部上に配置して前記重合部を構成するとともに、前記一側部と前記他側部とを縫製したことを特徴とするカーテン。
【請求項４】
前記第１の生地と前記重合部間に、棒状部材を挿入したことを特徴とする請求項１、２又は３記載のカーテン。
【発明の詳細な説明】
【０００１】
【発明の属する技術分野】
本発明は、生地が重ねられて形成されるカーテンに関する。
【０００２】
【従来の技術】
従来、窓開口部には、カーテンが設けられており、室内を隠蔽するとともに、窓開口部からの日射しを遮るように構成されている。
【０００３】
日射しを遮る目的を重視したカーテンとしては、遮光カーテンが知られており、該遮光カーテンは、室内側に面する表地と室外側に面する裏地とが重ねられて形成されている。前記表地は、デザイン重視で設計されており、インテリア性が高められている。また、前記裏地は、外部からの日射しの進入防止効果に重点が置かれており、遮光性の高い例えば黒色の生地が使用されている。
【０００４】
【発明が解決しようとする課題】
しかしながら、このようなカーテンにあっては、表地と裏地と縫製して接合する構造上、表地と裏地を貫通するピンホールが、縫製部に沿って多数形成されてしまう。これにより、どんなに厚手の裏地を使用しても、このピンホールから光が透過してしまうことを本願出願人が発見した。
【０００５】
このため、このようなカーテンで東側の窓開口部を閉鎖した場合、明け方の日の出時において、前記ピンホールから細い光線が無数に室内へ入り込み、睡眠の妨げになる事実を解明するに至った。
【０００６】
本発明は、このような従来の課題に鑑みてなされたものであり、遮光性の高いカーテンを提供することを目的とするものである。
【０００７】
【課題を解決するための手段】
前記課題を解決するために本発明の請求項１のカーテンにあっては、重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、前記第１の生地の一部を山型に突出させ、突出して折り返された基端部同士を縫製してループ状の前記重合部を形成するとともに、該重合部基端の一方側に前記接合用縫製部を設定し、前記重合部を前記一方側に倒して前記接合用縫製部上に配置した状態で、この重合部の先端部を当該第１の生地に縫製した。
【０００８】
すなわち、第１の生地と第２の生地とは、接合用縫製部にて縫製され接合されており、この接合用縫製部には、前記両生地を貫通する縫製時のピンホールが形成されている。しかし、前記第１の生地には、前記接合用縫製部に沿って延在するとともに、当該接合用縫製部上に重ねて配置される重合部が設けられており、前記ピンホールは、この重合部によって隠蔽される。
【００１１】
そして、このカーテンにあっては、第１の生地の一部を山型に突出させ、その折り返された基端部同士を縫製することで、前述の重合部が形成される。そして、この重合部基端の一方側には、前記接合用縫製部が設定されており、前記重合部が前記一方側に倒され前記接合用縫製部上に配置されることによって、前記接合用縫製部に形成されたピンホールの隠蔽が行われる。
【００１２】
また、この重合部の先端部は、前記第１の生地に縫製されて接合されるので、第１の生地のみにピンホールが形成される。加えて、前記第１及び第２の生地に縫製作業を施すだけで、当該カーテンが製造される。
【００１３】
また、請求項２のカーテンでは、重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、前記第１の生地に第３の生地の一側部を縫製して当該第３の生地によって前記重合部を構成し、前記第１の生地と前記重合部の一側部とが接合された一側部接合用縫製部を設定するとともに、前記重合部の一側部に近接した位置に前記接合用縫製部を設定し、前記重合部の他側部を折返して当該重合部を前記接合用縫製部上に配置した状態で、この重合部の他側部を前記第１の生地に縫製した。
【００１４】
すなわち、このカーテンにあっては、第１の生地に第３の生地の一側部が縫製され、前述の重合部が形成される。そして、前記第１の生地と重合部の一側部とが接合された一側部接合用縫製部の一方側には、前記接合用縫製部が設定されており、前記重合部の他側部が前記一方側に折返され、前記接合用縫製部上に配置されることによって、前記接合用縫製部に形成されたピンホールの隠蔽が行われる。
【００１５】
このとき、前記重合部の他側部は、前記一方側に折返されるので、この重合部の一側部と前記第１の生地との縫製部分は、当該重合部によって隠蔽される。
【００１６】
また、この重合部の他側部は、前記第１の生地に縫製されて接合されるので、第１の生地のみにピンホールが形成される。そして、前記各生地に縫製作業を施すだけで、当該カーテンが製造される。
【００１７】
さらに、請求項３のカーテンにあっては、重ねられた第１の生地と第２の生地とを縫製して接合する接合用縫製部が設定され、前記第１の生地に、前記接合用縫製部に沿って延在し当該接合用縫製部上に重ねて配置される重合部が設けられたカーテンであって、前記第１の生地に第３の生地を積層し、該第３の生地を、前記第１の生地と前記第２の生地と共に縫製して前記接合用縫製部を当該第３の生地に沿って設定する一方、前記第３の生地の一側部を他側部側に折り返し、この折返し部分を前記接合用縫製部上に配置して前記重合部を構成するとともに、前記一側部と前記他側部とを縫製した。
【００１８】
すなわち、このカーテンにあっては、第１の生地に第３の生地が積層され、この第３の生地が、第１の生地と第２の生地と共に縫製されて前記接合用縫製部が形成されており、前記第３の生地の一側部が他側部側に折り返され、この折返し部分によって、前述の重合部が形成されている。
【００１９】
この重合部は、前記接合用縫製部上に配置されるため、第１〜第３の生地を貫通した前記接合用縫製部のピンホールの隠蔽が行われる。
【００２０】
このとき、前記重合部を構成する為に前記第３の生地の他側部側に折り返された一側部は、当該第３の生地の他側部に縫製される。このため、前記重合部を形成する為の縫製部分のピンホールは、第３の生地のみに形成される。そして、前記各生地に縫製作業を施すだけで、当該カーテンが製造される。
【００２１】
また、請求項４のカーテンにおいては、前記第１の生地と前記重合部間に、棒状部材を挿入した。
【００２２】
すなわち、前記重合部は、その両側が縫製されて接合されており、第１の生地と重合部間には空間が形成され、この空間に棒状部材が挿入される。これにより、この棒状部材は、カーテン開け閉め時の型くずれを防止する骨格として利用される。
【００２３】
【発明の実施の形態】
（第１の実施の形態）
【００２４】
以下、本発明の第１の実施の形態を図に従って説明する。図１は、本実施の形態にかかるカーテンである遮光カーテン１を示す模式図であり、該遮光カーテン１は、窓開口部の内側に昇降自在に吊り下げられ、室内を隠蔽するとともに窓開口部からの日射しを遮るように構成されている。
【００２５】
この遮光カーテン１は、室外側に面する第１の生地である裏地１１と、室内側に面する第２の生地としての表地１２とが重ね合わされて形成されている。該表地１２は、デザイン重視で設計されており、絵柄がプリントされ、インテリア性が高められている。また、前記裏地１１は、外部からの日射しの進入防止効果に重点が置かれて設計されており、遮光性の高い黒色の生地が使用されている。
【００２６】
前記遮光カーテン１は、図１中左方が上縁２１を、右方が下縁２２を形成するとともに、図１中上方及び下方が側縁２３を形成するように構成されている（下方のみ図示）。この遮光カーテン１は、窓開口部の上縁に沿って設けられた図外のカーテンレールに吊り下げられるように構成されており、このカーテンレールに設けられた昇降装置からの吊紐が上下移動されることによって、吊紐に固定された遮光カーテン１下縁２２が上下移動され、前記窓開口部に沿って昇降されることで窓開口部を開閉できるように構成されている。
【００２７】
この遮光カーテン１を、その製造工程の順を追って説明する。
【００２８】
すなわち、この遮光カーテン１を製造する際には、前工程である重合部形成工程において、前記裏地１１の一部を、所定間隔毎に山型に突出させた後、折り返された基端部３１，３１同士を基端部縫製部３２にて縫製し、遮光カーテン１の幅方向Ｈ全域に延在するループ状の重合部３３，・・・を、遮光カーテン１の高さ方向Ｖに等間隔をおいて形成し、この重合部形成工程を終えた裏地１１を、図１の（ａ）に示す重ね工程にて、前記表地１２に重ね合わせる。
【００２９】
この重ねられた裏地１１において、図１の（ｂ）に示す接合工程にて、上縁２１側に設けられた重合部３３の基端より下縁２２側であって、前記重合部３３基端に近接するとともに該重合部３３に沿って延在する接合用縫製部４１に沿って、当該裏地１１を前記表地１２に縫製する。
【００３０】
そして、図１の（ｃ）に示す重合工程にて、前記重合部３３を、一方側である下縁２２側に倒して、前記接合用縫製部４１上に重ねて配置する。この状態で、該接合用縫製部４１より下縁２２側に位置する前記重合部３３の先端部を、重合部３３の全域に渡って延在する固定用縫製部５１に沿って、当該裏地１１に縫製する。このとき、前記表地１２は、前記接合用縫製部４１より下縁２２側が前記裏地１２に縫製されておらず、前記固定用縫製部５１に沿った縫製時において、前記表地１２を曲げる等することによって、前記裏地１１を直接ミシンの台上に載置することができる。これにより、前記固定用縫製部５１に沿った縫製作業を容易に行うことができる。
【００３１】
このとき、前記裏地１２と前記重合部３３との間には、リング６１を止める帯６２が挟持された状態で縫製され固定されている。これにより、前記重合部３３の下側には、遮光カーテン１の幅方向Ｈに所定の間隔をおいて複数のリング６１，・・・が固定され（一つのリング６１のみ図示）、上下に配列された図外のリング６１，・・・に昇降用の吊紐を通すことができるように構成されている。
【００３２】
次に、図１の（ｄ）に示す骨格形成工程において、前記裏地１２と前記重合部３３との間に、側方開口部より棒状部材７１を挿入して、該棒状部材７１を、前記重合部３３の略全長に渡って配設する。その後、この重合部３３と前記裏地１１とを、その両端に設定された抜け止め用縫製部７２に沿って縫製し（一方のみ図示）、側方開口部を閉鎖する。このとき、前記表地１２は、前記接合用縫製部４１より下縁２２側が前記裏地１１に縫製されておらず、前記抜け止め用縫製部７２に沿った縫製時において、前記表地１２を曲げる等することによって、裏地１１を直接ミシンの台上に載置することができる。これにより、前記抜け止め用縫製部７２に沿った縫製作業を容易に行うことができる。なお、この抜け止め用縫製部７２を縫製する際には、前記接合用縫製部４１を超えて上縁２１側へ延出しないようにする。
【００３３】
そして、図１の（ｅ）に示す接合工程にて、前記表地１２と裏地１１とを重ね合わせるとともに、前述した重合部３３より一つ下縁２２側に位置する重合部３３基端より下縁２２側であって、当該重合部３３基端に近接するとともに該重合部３３に沿って延在する接合用縫製部４１に沿って、当該裏地１１を前記表地１２に縫製する。これにより、この部位においても、遮光カーテン１の幅方向Ｈ全域に渡って表地１２と裏地１１とを接合する。そして、前述した各工程を、下縁２２側に設けられた重合部３３の縫製が終了するまで繰り返し、遮光カーテン１を完成させる。
【００３４】
以上の構成にかかる本実施の形態において、表地１２と裏地１１とは、高さ方向Ｖに所定の間隔をおいて設けられた幅方向Ｈに延在する接合用縫製部４１，・・・にて縫製され接合されており、各接合用縫製部４１，・・・には、前記表地１２と裏地１１の両者を貫通する縫製時のピンホールが形成されている。
【００３５】
しかし、前記裏地１１には、前記接合用縫製部４１に沿って延在するとともに、当該接合用縫製部４１上に重ねて配置された重合部３３が設けられており、前記ピンホールを、この重合部３３によって隠蔽することができる。これにより、前記ピンホールからの光の透過を防止することができるため、遮光性を高めることができる。
【００３６】
ここで、前記重合部３３を形成する為の閉鎖用縫製部３２と、前記重合部３３先端の固定用縫製部５１と、重合部３３両端の抜け止め用縫製部７２とは、重合部３３と裏地１１とを縫製することによって形成されており、これらの縫製部３２，５１，７２によるピンホールは、裏地１１のみに形成される。このため、これらのピンホールから室内への光の透光は阻止さる。また、遮光カーテン１の左右の側縁２３においても、表地１２と裏地１１との縫製が廃止されているため、表地１２と裏地１１とを貫通するピンホールの形成が防止されている。
【００３７】
したがって、この遮光カーテン１で東側の窓開口部を閉鎖した場合、明け方の日の出時においても、遮光カーテン１のピンホールからの日射しの進入を防止することができ、安眠の妨げを防止することができる。
【００３８】
なお、前記裏地１１に前記重合部３３を設ける方法としては、山型に突出された重合部３３基端の閉鎖用縫製部３２を縫製し、下縁２２側に倒された重合部３３先端の固定用縫製部５１を縫製する方法の他に、閉鎖用縫製部３２及び固定用縫製部５１の部位を接着して形成する方法が挙げられる。いずれの場合でも、前記重合部３３を裏地１１に設けるため、裏地１１と表地１２の両者を貫通するピンホールの形成が不要となる。
【００３９】
また、本実施の形態の遮光カーテン１にあっては、裏地１１の一部を山型に突出させ、その折り返された基端部３１，３１同士を縫製することで、前述した重合部３３を形成することができる。また、この重合部３３基端の下縁２２側に、前記接合用縫製部４１を設定し、前記重合部３３を下縁２２側に倒して前記接合用縫製部４１上に配置することで、前記接合用縫製部４１のピンホールを確実に隠蔽することができる。
【００４０】
そして、この重合部３３の先端部を前記裏地１１に縫製して接合するため、前記重合部３３を接着する等、他の作業が不要となる。よって、接着等の他の作業を要する場合と比較して、前記裏地１１と表地１２とに縫製作業を施すだけで、当該遮光カーテン１を製造することができ、作業性を高めることができる。
【００４１】
加えて、前記重合部３３は、その上縁２１側及び下縁２２側が縫製されて接合されており、裏地１１と重合部３３間には空間が形成され、この空間に棒状部材７１を挿入することができる。これにより、この棒状部材７１を骨格として利用することができ、遮光カーテン１開け閉め時の型くずれを防止する事ができる。
【００４２】
【００４３】
（第２の実施の形態）
以下、本発明の第２の実施の形態を図に従って説明する。図２は、本実施の形態にかかるカーテンである遮光カーテン１０１を示す模式図であり、該遮光カーテン１０１は、窓開口部の内側に昇降自在に吊り下げられ、室内を隠蔽するとともに窓開口部からの日射しを遮るように構成されている。
【００４４】
この遮光カーテン１０１は、第１の実施の形態同様に、室外側に面する第１の生地である裏地１１１と、室内側に面する第２の生地としての表地１１２とが重ね合わされて形成されている。
【００４５】
前記遮光カーテン１０１は、図２中左方が上縁１２１を、右方が下縁１２２を形成するとともに、図２中上方及び下方が側縁１２３を形成するように構成されている（下方のみ図示）。この遮光カーテン１０１は、窓開口部の上縁に沿って設けられた図外のカーテンレールに吊り下げられるように構成されており、このカーテンレールに設けられた昇降装置からの吊紐によって、遮光カーテン１０１の下縁１２２を上下移動することで、前記窓開口部に沿って昇降し窓開口部を開閉できるように構成されている。
【００４６】
この遮光カーテン１０１を、その製造工程の順に沿って説明する。
【００４７】
すなわち、この遮光カーテン１０１を製造する際には、前工程である重合部形成工程において、前記裏地１１１の幅方向Ｈの全域に渡って延在する第３の生地である帯状の生地を、遮光カーテン１０１の高さ方向Ｖに等間隔をおいて配置し、遮光カーテン１０１の下縁１２２側に位置する帯状の生地の一側部を、一側部接合用縫製部１３１に沿って裏地１１１に縫製して重合部１３２を形成する。該重合部１３２を形成する帯状の生地は、両側部が縢り縫いされて縢り部１３３，１３３が形成されており、生地のほつれが防止されている。この重合部形成工程を終えた裏地１１１を、図２の（ａ）に示す重ね工程にて、前記表地１１２に重ね合わせる。
【００４８】
この裏地１１１において、図２の（ｂ）に示す接合工程にて、上縁１２１側に設けられた重合部１３２の前記一側部より下縁１２２側であって、前記重合部１３２の一側部に近接するとともに該重合部１３２に沿って延在する接合用縫製部１４１に沿って、当該裏地１１１を前記表地１１２に縫製する。
【００４９】
そして、図２の（ｃ）に示す重合工程にて、前記重合部１３２の他側部を、一方側である下縁１２２側に折返し、前記接合用縫製部１４１上に重ねて配置する。この状態で、該接合用縫製部１４１より下縁１２２側に位置する前記重合部１３２の他側部を、その全域に渡って延在する他側部接合用縫製部１５１に沿って前記裏地１１１に縫製する。このとき、前記表地１１２は、前記接合用縫製部１４１より下縁１２２側が前記裏地１１１に縫製されておらず、前記他側部接合用縫製部１５１に沿った縫製時において、前記表地１１２を曲げる等することによって、裏地１１１を直接ミシンの台上に載置することができる。これにより、前記他側部接合用縫製部１５１に沿った縫製作業を容易に行うことができる。
【００５０】
また、前記裏地１１１と前記重合部１３２の他側部との間には、リング１６１を止める帯１６２が挟持された状態で縫製され固定されている。これにより、前記重合部１３２の下側には、遮光カーテン１０１の幅方向に所定の間隔をおいて複数のリング１６１，・・・が固定され（一つのリング１６１のみ図示）、上下に配列されたリング１６１，・・・に、昇降用の吊紐を通すことができるように構成されている。
【００５１】
次に、図２の（ｄ）に示す骨格形成工程において、前記裏地１１１と前記重合部１３２との間に、側方開口部より棒状部材１７１を挿入して、該棒状部材１７１を、前記重合部１３２の略全長に渡って配設する。その後、前記重合部１３２と前記裏地１１１とを、前記重合部１３２の両端に設定された抜け止め用縫製部１７２に沿って縫製し、側方開口部を閉鎖する。このとき、前記表地１１２は、前記接合用縫製部１４１より下縁１２２側が前記裏地１１１に縫製されておらず、前記抜け止め用縫製部１７２に沿った縫製時において、前記表地１１２を曲げる等することによって、裏地１１１を直接ミシンの台上に載置することができる。これにより、前記抜け止め用縫製部１７２に沿った縫製作業を容易に行うことができる。なお、この抜け止め用縫製部１７２を縫製する際には、前記接合用縫製部１４１を超えて上縁１２１側へ延出しないようにする。
【００５２】
そして、図２の（ｅ）に示す接合工程にて、前記表地１１２と裏地１１１とを重ね合わせるとともに、前述した重合部１３２より一つ下縁１２２側に位置する重合部１３２の一側部の下縁１２２側であって、当該重合部１３２の一側部に近接するとともに該重合部１３２に沿って延在する接合用縫製部１４１に沿って、当該裏地１１１を前記表地１１２に縫製する。これにより、この部位においても、遮光カーテン１０１の幅方向Ｈ全域に渡って表地１１２と裏地１１１とを接合する。そして、前述した各工程を、下縁１２２側に設けられた重合部１３２の縫製が終了するまで繰り返し、遮光カーテン１０１を完成させる。
【００５３】
以上の構成にかかる本実施の形態において、表地１１２と裏地１１１とは、高さ方向Ｖに所定の間隔をおいて設けられた幅方Ｈ向に延在する接合用縫製部１４１，・・・にて縫製され接合されており、各接合用縫製部１４１，・・・には、前記表地１１２と裏地１１１の両者を貫通する縫製時のピンホールが形成されている。
【００５４】
しかし、前記裏地１１１には、前記接合用縫製部１４１に沿って延在するとともに、当該接合用縫製部１４１上に重ねて配置された重合部１３２が設けられており、前記ピンホールを、この重合部１３２によって隠蔽することができる。これにより、前記ピンホールからの光の透過を防止することができるため、遮光性を高めることができる。
【００５５】
ここで、前記重合部１３２を形成する為の一側部接合用縫製部１３１と、前記重合部１３２の他側部を縫製する他側部接合用縫製部１５１と、前記重合部１３２両端の抜け止め用縫製部１７２とは、重合部１３２と裏地１１１とを縫製して構成されており、これらの縫製部１３１，１５１，１７２によるピンホールは、裏地１１１のみに形成される。このため、これらのピンホールから室内への光の透光は阻止さる。また、左右の側縁においても、表地１１２と裏地１１１との縫製が廃止されているため、表地１１２と裏地１１１とを貫通するピンホールの形成が防止されている。
【００５６】
したがって、この遮光カーテン１０１で東側の窓開口部を閉鎖した場合、明け方の日の出時においても、遮光カーテン１０１のピンホールからの日射しの進入を防止することができ、安眠の妨げを防止することができる。
【００５７】
ここで、前記裏地１１１に前記重合部１３２を設ける方法としては、重合部１３２を前記一側部接合用縫製部１３１及び他側部接合用縫製部１５１で縫製する方法の他に、前記一側部接合用縫製部１３１及び他側部接合用縫製部１５１の部位を接着して固定する方法が挙げられる。いずれの場合でも、前記重合部１３２を裏地１１１に設けるため、裏地１１１と表地１１２の両者を貫通するピンホールの形成が不要となる。
【００５８】
また、本実施の形態の遮光カーテン１０１にあっては、裏地１１１に帯状の生地の一側部を縫製することで、前述の重合部１３２を形成することができる。このため、前記裏地１１１を山型に突出させ基部を縫製して重合部１３２を形成する場合と比較して、裏地１１１の高さ方向Ｖを含めた全体の寸法管理が容易となる。また、重合部１３２上下の幅寸法の管理を行うこと無く、遮光カーテン１０１の引き攣れ防止や、下縁１２２の水平出しを行うことができる。
【００５９】
そして、前記裏地１１１と重合部１３２の一側部とが接合された一側部接合用縫製部１３１より下縁１２２側に、前記接合用縫製部１４１を設定し、前記重合部１３２の他側部を前記下縁１２２側に折返して、前記接合用縫製部１４１上に配置することで、前記接合用縫製部１４１のピンホールを確実に隠蔽することができる。
【００６０】
このとき、前記重合部１３２の他側部は、下縁１２２側に折返されるので、この重合部１３２の一側部と前記裏地１１１との縫製部分、つまり一側部接合用縫製部１３１と縢り部１３３とを、当該重合部１３２で隠蔽することができる。このため、重合部１３２の一側部と裏地１１１との縫製部分が露出する場合と比較して、室外からの外観品質をも高めることができる。
【００６１】
また、この重合部１３２の他側部を、前記裏地１１１に縫製して接合するため、前記重合部１３２を接着する等、他の作業が不要となる。よって、他の作業を要する場合と比較して、前記各生地１１１，１１２，１３２に縫製作業を施すだけで、当該遮光カーテン１０１を製造することができ、作業性を高めることができる。
【００６２】
加えて、前記重合部１３２は、その上縁１２１側及び下縁１２２側が縫製されて接合されており、裏地１１１と重合部１３２間には空間が形成され、この空間に棒状部材１７１を挿入することができる。これにより、この棒状部材１７１を骨格として利用することができ、遮光カーテン１０１開け閉め時の型くずれを防止する事ができる。
【００６３】
なお、本実施の形態にあっては、上縁１２１側に延出した重合部１３２の他側部を下縁１２２側に折り返して裏地１１１に縫製する場合を例に挙げて説明したが、これに限定されるものでは無く、例えば上縁１２１側が縫製された重合部１３２の下面側に、表地１１２と裏地１１１とを接合する接合用縫製部１４１を設定しても良い。この場合、この重合部１３２の下縁１２２側を、前記裏地１１１に縫製して固定しなくても良いが、縫製することにより質感を高めることができる。
【００６４】
【００６５】
（第３の実施の形態）
以下、本発明の第３の実施の形態を図に従って説明する。図３は、本実施の形態にかかるカーテンである遮光カーテン２０１を示す模式図であり、該遮光カーテン２０１は、窓開口部の内側に昇降自在に吊り下げられ、室内を隠蔽するとともに窓開口部からの日射しを遮るように構成されている。
【００６６】
この遮光カーテン２０１は、第１の実施の形態同様に、室外側に面する第１の生地である裏地２１１と、室内側に面する第２の生地としての表地２１２とが重ね合わされて形成されている。
【００６７】
前記遮光カーテン２０１は、図３中左方が上縁２２１を、右方が下縁２２２を形成するとともに、図３中上方及び下方が側縁２２３を形成するように構成されている（下方のみ図示）。この遮光カーテン２０１は、窓開口部の上縁に沿って設けられた図外のカーテンレールに吊り下げられるように構成されており、このカーテンレールに設けられた昇降装置からの吊紐によって、遮光カーテン２０１の下縁２２２を上下移動することで、前記窓開口部に沿って昇降し窓開口部を開閉できるように構成されている。
【００６８】
この遮光カーテン２０１を、その製造工程の順に沿って説明する。
【００６９】
すなわち、この遮光カーテン２０１を製造する際には、図３の（ａ）に示す接合工程において、表地２１２に重ね合わされた裏地２１１の幅方向Ｈの全域に渡って延在する第３の生地である帯状の暗幕生地２３１，・・・を、遮光カーテン２０１の高さ方向Ｖに等間隔をおいて配置し、各暗幕生地２３１，・・・を、その中央よりやや上縁２２１側の部位にて、前記裏地２１１及び表地２１２と共に接合用縫製部２３２に沿って、幅方向Ｈの全域に渡って縫製する。前記暗幕生地２３１は、黒色で厚手の帯状の生地からなり、両側部が縢り縫いされて縢り部２３３，２３３が形成され、生地のほつれが防止されている。
【００７０】
次に、図３の（ｂ）に示す重合部形成工程において、当該遮光カーテン２０１の上縁２２１側に位置する前記暗幕生地２３１の一側部（下縁２２２側の縁部）を、上縁２２１側の縁部を構成する他側部側に折り返して重ね合わせ、この折返し部分を前記接合用縫製部２３２上に重ねて配置し、当該暗幕生地２３１の一部で重合部２４１を形成する。そして、前記一側部に重ね合わされた前記他側部を、その重ね合わせ部分に沿って延在する重合用縫製部２４２に沿って、幅方向の全域に渡り縫製し、両者を接合する。このとき、前記接合用縫製部２３１上に位置する前記折返し部分には余裕を持たせ、膨らみを形成する。
【００７１】
この暗幕生地２３１は、前記接合用縫製部２３２のみが縫製されているため、前記重合用縫製部２４２に沿った縫製時において、前記表地２１２及び裏地２１１を、前記接合用縫製部２３２の基端部分にて曲げる等することによって、前記暗幕生地２３１を直接ミシンの台上に載置することができる。これにより、前記重合用縫製部２４２に沿った縫製作業を容易に行うことができる。
【００７２】
また、前記暗幕生地２０１の前記一側部と他側部との間には、リング２５１を止める帯２５２が挟持された状態で縫製され固定されている。これにより、前記重合部２４１の上側には、遮光カーテン２０１の幅方向Ｈに所定の間隔をおいて複数のリング２５１，・・・が固定され（一つのリング２５１のみ図示）、上下に配列されたリング２５１，・・・に、昇降用の吊紐を通すことができるように構成されている。
【００７３】
次に、図３の（ｃ）に示すように、前記表地２１２及び裏地２１１を平らに戻し、該裏地２１１に沿って前記重合部２４１を配置する。
【００７４】
ここで、図中省略したが、図１の（ｄ）及び図２の（ｄ）で示したような骨格形成工程を設け、折り返されて袋状に縫製された前記暗幕生地２３１内へ、その側方開口部より棒状部材を挿入して、該棒状部材を、前記重合部２４１略全長に渡って配設しても良く、この場合、前記側方開口部を縫製して閉鎖する。これにより、この棒状部材を骨格として機能させ、遮光カーテン２０１開け閉め時の型くずれの防止に役立てることができる。
【００７５】
そして、前述した各工程を、下縁２２２側に設けられた暗幕生地２３１の縫製が終了するまで繰り返し、遮光カーテン２０１を完成させる。
【００７６】
以上の構成にかかる本実施の形態において、表地２１２と裏地２１１は、高さ方向Ｖに所定の間隔をおいて設けられた幅方Ｈ向に延在する接合用縫製部２３２にて縫製され接合されており、各接合用縫製部２３２，・・・には、前記表地２１２と裏地２１１と暗幕生地２３１とを貫通する縫製時のピンホールが形成されている。
【００７７】
しかし、前記裏地２１１には、前記接合用縫製部２３２に沿って延在するとともに、当該接合用縫製部２３２上に重ねて配置された重合部２４１が設けられており、表地２１２と裏地２１１と暗幕生地２３１とを貫通した前記接合用縫製部２３２のピンホールを、この重合部２４１によって確実に隠蔽することができる。これにより、前記ピンホールからの光の透過を防止することができるため、遮光性を高めることができる。
【００７８】
ここで、前記重合部２４１を形成する為の重合用縫製部２４２は、暗幕生地２３１の一側部と他側部とが縫製されて構成されており、この重合用縫製部２４２におけるピンホールは、暗幕生地２３１のみに形成されている。このため、これらのピンホールから室内への光の透光は阻止さる。また、左右の側縁においても、表地２１２と裏地２１１との縫製が廃止されているため、表地２１２と裏地２１１とを貫通するピンホールの形成が防止されている。
【００７９】
したがって、この遮光カーテン２０１で東側の窓開口部を閉鎖した場合、明け方の日の出時においても、遮光カーテン２０１のピンホールからの日射しの進入を防止することができ、安眠の妨げを防止することができる。
【００８０】
また、本実施の形態の遮光カーテン２０１にあっては、裏地２１１に帯状の暗幕生地２３１を縫製するとともに、その一側部を他側部側に折り返すことによって、この折返し部分で、前述の重合部２４１を形成することができる。このため、前記裏地２１１を山型に突出させ基部を縫製して重合部を形成する場合と比較して、裏地２１１の高さ方向Ｖを含めた全体の寸法管理が容易となる。また、重合部２４１上下の幅寸法の管理を行うこと無く、遮光カーテン２０１の引き攣れ防止や、下縁２２２の水平出しを行うことができる。このとき、前記暗幕生地２３１は、前記接合用縫製部２３２において表地２１２と裏地２１１と共に縫製されており、補強効果を得ることもできる。
【００８１】
また、前記重合部２４１を構成する為に前記暗幕生地２３１の他側部側に折り返された一側部は、当該暗幕生地２３１の他側部に縫製されるので、前記重合部２４１を形成する為の重合用縫製部２４２のピンホールは、暗幕生地２３１のみに形成される。これにより、この暗幕生地２３１に形成されたピンホールを、前記表地２１２及び裏地２１１で隠蔽することができ、光漏れを表地２１２及び裏地２１１の両者によって確実に防止することができる。よって、前記表地２１２及び裏地２１１を薄手の生地で構成する等、デザインの自由度を高めることができる。
【００８２】
このとき、前記暗幕生地２３１の一側部は、他側部側に折り返えされ、該他側部と縫製されるので、当該暗幕生地２３１の一側部と他側部との両者が露出する場合と比較して、室外からの外観品質をも高めることができる。
【００８３】
そして、前記各生地２１１，２１２，２３１に縫製作業を施すだけで、当該遮光カーテン２０１を製造することができる。したがって、接着など他の作業を要する場合と比較して、当該遮光カーテン２０１を製造する際の作業性を高めることができる。
【００８４】
【発明の効果】
以上説明したように本発明の請求項１のカーテンにあっては、第１の生地と第２の生地とを接合する接合用縫製部には、縫製時のピンホールが形成されるが、第１の生地に設けられ、接合用縫製部上に重ねて配置された重合部によって、このピンホールを隠蔽することができる。これにより、前記ピンホールからの光の透過を防止することができるため、遮光性を高めることができる。
【００８５】
したがって、このカーテンで東側の窓開口部を閉鎖した場合、明け方の日の出時においても、カーテンのピンホールからの日射しの進入を防止することができ、安眠の妨げを防止することができる。
【００８６】
また、第１の生地の一部を山型に突出させ、その折り返された基端部同士を縫製することで、前述の重合部を形成することができる。また、この重合部基端の一方側に、前記接合用縫製部を設定し、前記重合部を前記一方側に倒して前記接合用縫製部上に配置することによって、前記接合用縫製部のピンホールを確実に隠蔽することができる。
【００８７】
そして、この重合部の先端部を、前記第１の生地に縫製して接合するため、前記重合部を接着する等、他の作業が不要となる。よって、他の作業を要する場合と比較して、前記第１及び第２の生地に縫製作業を施すだけで、当該カーテンを製造することができ、作業性を高めることができる。
【００８８】
さらに、請求項２のカーテンでは、第１の生地に第３の生地の一側部を縫製することにより、前述の重合部を形成することができる。このため、前記第１の生地を山型に突出させて重合部を形成する場合と比較して、第１の生地全体の寸法管理が容易となる。また、重合部の幅寸法の管理を行うこと無く、カーテンの引き攣れ防止や、端部の水平出しを行うことができる。
【００８９】
そして、前記第１の生地と重合部の一側部とが接合された一側部接合用縫製部の一方側に、前記接合用縫製部を設定し、前記重合部の他側部を前記一方側に折返して、前記接合用縫製部上に配置することにより、前記接合用縫製部のピンホールを確実に隠蔽することができる。
【００９０】
このとき、前記重合部の他側部は前記一方側に折返されるので、この重合部の一側部と前記第１の生地との縫製部分を、当該重合部で隠蔽することができる。このため、重合部の一側部と第１の生地との縫製部分が露出する場合と比較して、外観品質を高めることができる。
【００９１】
また、この重合部の他側部を、前記第１の生地に縫製して接合するため、前記重合部を接着する等、他の作業が不要となる。よって、他の作業を要する場合と比較して、前記各生地に縫製作業を施すだけで、当該カーテンを製造することができ、作業性を高めることができる。
【００９２】
加えて、請求項３のカーテンにあっては、第１の生地に第３の生地を積層し、この第３の生地を、第１の生地と第２の生地と共に縫製することにより、補強効果を高めつつ、前記接合用縫製部を形成することができる。また、前記第３の生地の一側部を他側部側に折り返すことによって、この折返し部分で、前述の重合部を形成することができる。このため、前記第１の生地を山型に突出させて重合部を形成する場合と比較して、第１の生地全体の寸法管理が容易となる。また、重合部の幅寸法の管理を行うこと無く、カーテンの引き攣れ防止や、端部の水平出しを行うことができる。
【００９３】
そして、この重合部は、前記接合用縫製部上に配置されるため、第１〜第３の生地を貫通した前記接合用縫製部のピンホールを確実に隠蔽することができる。
【００９４】
また、前記重合部を構成する為に前記第３の生地の他側部側に折り返された一側部は、当該第３の生地の他側部に縫製されるので、前記重合部を形成する為の縫製部分のピンホールは、第３の生地のみに形成される。これにより、この第３の生地に形成されたピンホールを、前記第１及び第２の生地で隠蔽することができ、光漏れを第１及び第２の生地の両者によって確実に防止することができる。よって、前記第１及び第２の生地を薄手の生地で構成する等、デザインの自由度を高めることができる。
【００９５】
このとき、前記第３の生地の一側部は、他側部側に折り返えされ、該他側部と縫製されるので、第３の生地の一側部と他側部とが露出する場合と比較して、外観品質を高めることができる。
【００９６】
そして、前記各生地に縫製作業を施すだけで、当該カーテンを製造することができる。したがって、接着など他の作業を要する場合と比較して、当該カーテンを製造する際の作業性を高めることができる。
【００９７】
また、請求項４のカーテンにあっては、前述した重合部は、その両側が縫製されて接合されており、第１の生地と重合部間には空間が形成され、この空間に棒状部材を挿入することができる。これにより、この棒状部材を骨格として利用することができ、カーテン開け閉め時の型くずれを防止する事ができる。
【図面の簡単な説明】
【図１】本発明の第１の実施の形態を示す模式図である。
【図２】本発明の第２の実施の形態を示す模式図である。
【図３】本発明の第３の実施の形態を示す模式図である。
【符号の説明】
１    遮光カーテン（カーテン）
１１    裏地（第１の生地）
１２    表地（第２の生地）
３１    基端部
３３    重合部
４１    接合用縫製部
７１    棒状部材
１０１    遮光カーテン（カーテン）
１１１    裏地（第１の生地）
１１２    表地（第２の生地）
１３１    一側部接合用縫製部
１３２    重合部（第３の生地）
１４１    接合用縫製部
１７１    棒状部材
２０１    遮光カーテン（カーテン）
２１１    裏地（第１の生地）
２１２    表地（第２の生地）
２３１    暗幕生地（第３の生地）
２３２    接合用縫製部
２４１    重合部
【図１】
0003939594.tif 000002
【図２】
0003939594.tif 000003
【図３】
0003939594.tif 000004